(57)【要約】【目的】容易にストロー穴のフィルムを突き破ることができ、消費者が引用する際に円滑に飲用することができる飲料用ストローを提供することを目的とする。【構成】飲料用ストローは、飲料が充填された包装容器のストロー穴に差し込まれる伸縮ストロー、１本ストローなどの飲料用ストローであって、飲料用ストローの先端部に、横断方向に鋭角に切断された切断部が設けられ、飲料用ストロー１の先端部分１ｂの断面形状が少なくとも１の角１ａを持つ構成を有する。【選択図】        図１
2004351046.tif 000002
【特許請求の範囲】
【請求項１】
飲料が充填された包装容器のストロー穴に差し込まれる飲料用ストローであって、
該飲料用ストローの先端部に、横断方向に鋭角に切断された切断部が設けられ、
該飲料用ストローの先端部分の断面形状が少なくとも１の角を持つ、
ことを特徴とする飲料用ストロー。
【請求項２】
飲料用ストローが内管ストローと外管ストローとからなる伸縮ストローであって、
該内管ストローの先端部に、横断方向に鋭角に切断された切断部が設けられ、
該内管ストローの先端部分の断面形状が少なくとも１の角を持つ、
請求項１記載の飲料用ストロー。
【請求項３】
飲料用ストローが１本のストローとからなる１本ストローであって、
該１本ストローの先端部に、横断方向に鋭角に切断された切断部が設けられ、
該１本ストローの先端部分の断面形状が少なくとも１の角を持つ、
請求項１記載の飲料用ストロー。
【請求項４】
飲料用ストローが内管ストローと外管ストローとからなる伸縮ストローであって、
該内管ストローの断面形状が少なくとも１の角を持ち、
該内管ストローの結合部側の端部を拡径し、該外管ストローの結合部側を縮径し、該外管ストローの結合部の内周径形状が、該内管ストローの外形形状と適合する、
請求項２記載の飲料用ストロー。
【発明の詳細な説明】
【０００１】
【発明の属する技術分野】
本発明は、ジュース、牛乳など飲料が充填された包装容器のストロー穴に差し込まれる飲料用ストローに関する。
【０００２】
【従来の技術】
ジュース、牛乳など飲料が充填された包装容器から、内容物を飲むために、飲料用ストローをストロー穴に差し込まれる。そのような飲料用ストローは、プラスチック製の断面円形の管からなり、通常、ストローの先端部に、横断方向に鋭角に切断された切断部が設けられる。飲料用ストローには、１本の管からなる１本ストロー、図８に示すように内管ストロー１と外管ストロー２とからなる伸縮ストロー、２本の短いストローを継ぎ足して長いストローに組立てる組立てストローなどがある。
内管ストローと外管ストローとからなる伸縮ストローの構造例が、例えば、実開昭５９ー１５９３８７号に記載されている。
【０００３】
【特許文献１】
実開昭５９ー１５９３８７号
【０００４】
【発明が解決しようとする課題】
ストローの先端の斜めに切断された切断部をストロー穴に差し込みとき、ストロー穴を覆っていた薄いプラスチックフィルムが可撓性を有するために、該フィルムが伸びてストロー先端が変形して容易にフィルムを突き破ることができないことがある。
また、ストロー先端がフィルムを突き破ることができたとしても、図７に示すようにストロー１の外壁形状が断面円形であるので、最も容易簡単にプラスチックフィルム破断面がストロー外壁面に密着し、消費者が飲用する際に、円滑な飲用を妨げる。すなわち、内容物がストローから吸い上げられるにつれて、容器内圧がより低い陰圧になり、容器壁が変形し、また、フィルム破断面とストロー外壁面との間に狭い隙間があるときは、その隙間を介して外から中へ空気が入り、ズーズーと雑音を発することもある。
本発明は、上記課題を解決して、容易にストロー穴のフィルムを突き破ることができ、消費者が引用する際に円滑に飲用することができる飲料用ストローを提供することを目的とする。
【０００５】
【課題を解決するための手段】
この課題を解決する本発明の飲料用ストローは、飲料が充填された包装容器のストロー穴に差し込まれる飲料用ストローであって、飲料用ストローの先端部に、横断方向に鋭角に切断された切断部が設けられ、飲料用ストローの先端部分の断面形状が少なくとも１の角を持つ構成を有する。
これにより、容易にストロー穴のフィルムを突き破ることができ、消費者が引用する際に円滑に飲用することができる。
【０００６】
【発明の実施の形態】
本発明の請求項１に記載の飲料用ストローの発明は、飲料が充填された包装容器のストロー穴に差し込まれる飲料用ストローであって、飲料用ストローの先端部に、横断方向に鋭角に切断された切断部が設けられ、飲料用ストローの先端部分の断面形状が少なくとも１の角を持つことを特徴とする。
【０００７】
請求項２に記載の飲料用ストローの発明は、飲料用ストローが内管ストローと外管ストローとからなる伸縮ストローであって、内管ストローの先端部に、横断方向に鋭角に切断された切断部が設けられ、内管ストローの先端部分の断面形状が少なくとも１の角を持つ飲料用ストローに関する。
【０００８】
請求項３に記載の飲料用ストローの発明は、飲料用ストローが１本のストローとからなる１本ストローであって、１本ストローの先端部に、横断方向に鋭角に切断された切断部が設けられ、１本ストローの先端部分の断面形状が少なくとも１の角を持つ、飲料用ストローに関する。
【０００９】
請求項４に記載の飲料用ストローの発明は、飲料用ストローが内管ストローと外管ストローとからなる伸縮ストローであって、内管ストローの断面形状が少なくとも１の角を持ち、内管ストローの結合部側の端部を拡径し、該外管ストローの結合部側を縮径し、該外管ストローの結合部の内周径形状が、該内管ストローの外形形状と適合する、飲料用ストローに関する。
【００１０】
上記構成を有するこの発明は以下の作用を有する。
本発明における飲料用ストローは、飲料用ストローの先端部分の断面形状が少なくとも１の角を持つことを特徴とするので、飲料用ストローの先端部で、横断方向に鋭角に切断され、切断部が設けられると、その角及びその近傍で不連続な領域が生じ、ストロー縦方向の機械的構造強度がストローの可撓性と相俟って増加し、該角がの先端部に位置した場合は、ストロー先端がより鋭利になる。その結果、容易にストロー穴のフィルムを突き破ることができる。
【００１１】
本発明における飲料用ストローは、飲料用ストローの先端部分の断面形状が少なくとも１の角を持つことを特徴とするので、ストローの外壁断面形状で不連続な領域が生じ、プラスチックフィルム破断面がストロー外壁面に接触しても、フィルム破断面とストロー外壁面との間に隙間が生じる。消費者が飲用する際に、円滑に飲用することができる。すなわち、内容物がストローから吸い上げられるにつれて、容器内圧が陰圧になるが、フィルム破断面とストロー外壁面との間の隙間からスムーズに外から中へ空気が入り、容器壁が変形することがない。また、フィルム破断面とストロー外壁面との間に隙間がより広くなるので、空気通過に伴う雑音を発することもない。
以下、本発明の実施の形態について、図１から図５を用いて説明する。
【００１２】
（実施の形態１）
図１は、この発明の一実施の形態である飲料用ストローの断面図である。飲料用ストロー１の先端部に図８に示すように横断方向に鋭角に切断された切断部１ｂが設けられ、図１において、飲料用ストロー１の先端部分の断面形状が４個の角１ａを持つ。
【００１３】
図２は、この発明の一実施の形態である飲料用ストローの断面図である。飲料用ストロー１の先端部に図８に示すように横断方向に鋭角に切断された切断部１ｂが設けられ、図２において、飲料用ストロー１の先端部分の断面形状が５個の角１ａを持つ。
【００１４】
図３は、この発明の一実施の形態である飲料用ストローの断面図である。飲料用ストロー１の先端部に図８に示すように横断方向に鋭角に切断された切断部１ｂが設けられ、図３において、飲料用ストロー１の先端部分の断面形状が６個の角１ａを持つ。
【００１５】
図４は、この発明の一実施の形態である飲料用ストローの断面図である。飲料用ストロー１の先端部に図８に示すように横断方向に鋭角に切断された切断部１ｂが設けられ、図４において、飲料用ストロー１の先端部分の断面形状が３個の角１ａを持つ。
【００１６】
図５は、この発明の一実施の形態である飲料用ストローの断面図である。飲料用ストロー１の先端部に図８に示すように横断方向に鋭角に切断された切断部１ｂが設けられ、図５において、飲料用ストロー１の先端部分の断面形状が１個の角１ａを持つ。
【００１７】
図６は、この発明の一実施の形態である飲料用ストローの断面図である。飲料用ストロー１の先端部に図８に示すように横断方向に鋭角に切断された切断部１ｂが設けられ、図６において、飲料用ストロー１の先端部分の断面形状が２個の角１ａを持つ。
【００１８】
この発明に好ましい態様において、図８に示すように飲料用ストローは、内管ストロー１と外管ストロー２とからなる伸縮ストローであって、内管ストローの先端部１ｂに、横断方向に鋭角に切断された切断部が設けられ、内管ストローの先端部分の断面形状が少なくとも１の角を持つように構成することができる。
更に好ましい態様において、内管ストロー１の断面形状が少なくとも１の角を持ち、内管ストローの結合部側の端部１ｃを拡径し、外管ストローの結合部側２ｂを縮径し、外管ストローの結合部２ｂの内周径形状が、内管ストローの外形形状と適合するように構成することができる。
【発明の効果】
以上のように本発明によれば、容易にストロー穴のフィルムを突き破ることができ、消費者が引用する際に円滑に飲用することができるという有利な効果が得られる。
【図面の簡単な説明】
【図１】この発明の一実施の形態である飲料用ストローの断面図
【図２】この発明の一実施の形態である飲料用ストローの断面図
【図３】この発明の一実施の形態である飲料用ストローの断面図
【図４】この発明の一実施の形態である飲料用ストローの断面図
【図５】この発明の一実施の形態である飲料用ストローの断面図
【図６】この発明の一実施の形態である飲料用ストローの断面図
【図７】従来の飲料用ストローの断面図
【図８】この技術分野の飲料用ストロー外観を示す外観図（Ａ）、その断面図（Ｂ）
【符号の説明】
１  ・・・内管ストロー
１ａ  ・・角
２  ・・・外管ストロー
【図１】
2004351046.tif 000003
【図２】
2004351046.tif 000004
【図３】
2004351046.tif 000005
【図４】
2004351046.tif 000006
【図５】
2004351046.tif 000007
【図６】
2004351046.tif 000008
【図７】
2004351046.tif 000009
【図８】
2004351046.tif 000010